(57)【要約】      （修正有）【課題】情報資源を従来のウェブブラウザと同様に表示しつつ、文字列情報主体の注釈を越えた利用者の自由な表現を情報資源に付け加え、且つその表現を他の利用者と即時的に共有するプログラム及び情報処理方法を提供する。【解決手段】コンピュータを、ＵＲＬ３０に基づいて情報資源３３を取得する情報資源取得手段３と、情報資源３３を画像化して情報資源描画領域に格納する情報資源描画手段３と、視覚情報描画領域を形成して透明に初期化する描画キャンバス形成手段６と、視覚情報３１をＵＲＬ３０と対にしてデータベース４に記録する視覚情報入力手段８と、データベース４からＵＲＬ３０に対応する視覚情報３１を検索して、その結果に基づいて視覚情報描画領域に視覚情報３１を画像化する視覚情報描画手段５と、視覚情報描画領域の情報に基づいて情報資源描画領域又は視覚情報描画領域を出力する重ね合わせ手段７として機能させる。【選択図】図１
2007122511.tif 000002
【特許請求の範囲】
【請求項１】
ＵＲＬに示されるインターネット上の情報資源に図形、文字又はそれらの組合せからなる視覚情報を付記するために、コンピュータを、
前記ＵＲＬに基づいて前記情報資源を取得する情報資源取得手段と、
色情報を１つの要素とする情報資源描画領域を形成すると共に、前記情報資源に基づいて前記情報資源描画領域に色情報を設定することで前記情報資源を画像化する情報資源描画手段と、
前記コンピュータに設けられた入力手段を介して生成、削除又は編集された前記視覚情報を前記ＵＲＬと対にしてデータベースに記録する視覚情報入力手段と、
色情報を１つの要素とする視覚情報描画領域を形成すると共に、各要素を透明に初期化する描画キャンバス形成手段と、
前記データベースから前記ＵＲＬに対応する前記視覚情報を検索すると共に、検索に適合した前記視覚情報に基づいて前記視覚情報描画領域に色情報を設定することで前記視覚情報を画像化する視覚情報描画手段と、
前記情報資源描画領域の各要素を前記視覚情報描画領域の各要素と対応させた上で、前記視覚情報描画領域の要素の色情報が、透明以外の色情報であるならばその要素の色情報を、透明であるならばその要素に対応する前記情報資源描画領域の色情報を前記コンピュータに設けられた出力手段に出力する重ね合わせ手段として機能させるためのプログラム。
【請求項２】
請求項１のプログラムにおいて、
前記視覚情報とそれに対応する前記ＵＲＬをファイルに出力する手段と、
前記ファイルを電子メールに添付して所定の電子メールアドレスに送信する手段と、
前記ファイルを読込み、前記視覚情報とそれに対応する前記ＵＲＬを取得する手段とを更に備えることを特徴とするプログラム。
【請求項３】
請求項１又は２のプログラムにおいて、
前記情報資源描画手段は少なくとも２つ以上の前記情報資源を同時に画像化することを特徴とするプログラム。
【請求項４】
請求項１〜３の何れかのプログラムにおいて、
インターネットに接続される少なくとも１台以上の他のコンピュータの端末識別子を特定する通信先特定手段と、
前記通信先特定手段によって特定された前記端末識別子を持つ前記他のコンピュータとの間でＵＲＬと視覚情報を送受信する視覚情報通信手段とを更に備え、
前記視覚情報通信手段は受信したＵＲＬと視覚情報を前記データベースに格納することを特徴とするプログラム。
【請求項５】
請求項４のプログラムにおいて、
前記通信先特定手段は、前記他のコンピュータの利用者の利用者識別子を他の手段で取得する一方、前記コンピュータの端末識別子と当該コンピュータの利用者を特定する利用者識別子を含む利用者情報を管理する利用者管理サーバに接続し、当該コンピュータの利用者情報を送信すると共に、前記他のコンピュータの利用者の利用者識別子に対応する利用者情報を取得することで、前記他のコンピュータの端末識別子を特定することを特徴とするプログラム。
【請求項６】
ＵＲＬに示されるインターネット上の情報資源の取得及び解析を行い、前記情報資源を画像情報に変換して表示をするブラウザプログラムに組み込み可能なプラグインプログラムであって、前記情報資源に図形、文字又はそれらの組合せからなる視覚情報を付記するために、コンピュータを、
前記コンピュータに設けられた入力手段を介して生成、削除又は編集された前記視覚情報を前記ＵＲＬと対にしてデータベースに記録する視覚情報入力手段と、
色情報を１つの要素とする視覚情報描画領域を形成すると共に、各要素を透明に初期化する描画キャンバス形成手段と、
前記データベースから前記ＵＲＬに対応する前記視覚情報を検索すると共に、検索に適合した前記視覚情報に基づいて前記視覚情報描画領域に色情報を設定することで前記視覚情報を画像化する視覚情報描画手段と、
前記画像情報に前記視覚情報描画領域の各要素を対応させた上で、前記視覚情報描画領域の各要素の色情報が、透明以外の色情報であるならばその要素の色情報を、透明であるならばその要素に対応する前記画像情報を前記コンピュータに設けられた出力手段に出力する重ね合わせ手段として機能させるためのプラグインプログラム。
【請求項７】
請求項６のプラグインプログラムにおいて、
前記視覚情報とそれに対応する前記ＵＲＬをファイルに出力する手段と、
前記ファイルを電子メールに添付して所定の電子メールアドレスに送信する手段と、
前記ファイルを読込み、前記視覚情報とそれに対応する前記ＵＲＬを取得する手段とを更に備えることを特徴とするプラグインプログラム。
【請求項８】
請求項６又は７のプラグインプログラムにおいて、
インターネットに接続される少なくとも１台以上の他のコンピュータの端末識別子を特定する通信先特定手段と、
前記通信先特定手段によって特定された前記端末識別子を持つ前記他のコンピュータとの間でＵＲＬと視覚情報を送受信する視覚情報通信手段とを更に備え、
前記視覚情報通信手段は受信したＵＲＬと視覚情報を前記データベースに格納することを特徴とするプラグインプログラム。
【請求項９】
請求項８のプラグインプログラムにおいて、
前記通信先特定手段は、前記他のコンピュータの利用者の利用者識別子を他の手段で取得する一方、前記コンピュータの端末識別子と当該コンピュータの利用者を特定する利用者識別子を含む利用者情報を管理する利用者管理サーバに接続し、当該コンピュータの利用者情報を送信すると共に、前記他のコンピュータの利用者の利用者識別子に対応する利用者情報を取得することで、前記他のコンピュータの端末識別子を特定することを特徴とするプラグインプログラム。
【請求項１０】
ＵＲＬに示されるインターネット上の情報資源に図形、文字又はそれらの組合せからなる視覚情報を付記する情報処理方法であって、
前記ＵＲＬに基づいて前記情報資源を取得するステップと、
色情報を１つの要素とする情報資源描画領域を形成すると共に、前記情報資源に基づいて前記情報資源描画領域に色情報を設定することで前記情報資源を画像化するステップと、
前記コンピュータに設けられた入力手段を介して生成、削除又は編集された前記視覚情報を前記ＵＲＬと対にしてデータベースに記録するステップと、
色情報を１つの要素とする視覚情報描画領域を形成すると共に、各要素を透明に初期化するステップと、
前記データベースから前記ＵＲＬに対応する前記視覚情報を検索すると共に、検索に適合した前記視覚情報に基づいて前記視覚情報描画領域に色情報を設定することで前記視覚情報を画像化するステップと、
前記情報資源描画領域の各要素を前記視覚情報描画領域の各要素と対応させた上で、前記視覚情報描画領域の要素の色情報が、透明以外の色情報であるならばその要素の色情報を、透明であるならばその要素に対応する前記情報資源描画領域の色情報を前記コンピュータに設けられた出力手段に出力するステップとを含む情報処理方法。
【請求項１１】
請求項１０の情報処理方法において、
インターネットに接続される少なくとも１台以上の他のコンピュータの端末識別子を特定するステップと、
前記端末識別子を持つ前記他のコンピュータとの間でＵＲＬと視覚情報を送受信するステップと、
前記他のコンピュータより受信したＵＲＬと視覚情報を前記データベースに格納するステップを更に備えことを特徴とする情報処理方法。
【請求項１２】
請求項１１の情報処理方法において、
前記他のコンピュータの利用者の利用者識別子を他の手段で取得する一方、前記コンピュータの端末識別子と当該コンピュータの利用者を特定する利用者識別子を含む利用者情報を管理する利用者管理サーバに接続し、当該コンピュータの利用者情報を送信すると共に、前記他のコンピュータの利用者の利用者識別子に対応する利用者情報を取得することで、前記他のコンピュータの端末識別子を特定するステップを更に備えたことを特徴とする情報処理方法。
【発明の詳細な説明】
【技術分野】
【０００１】
本発明はプログラム及びプラグインプログラム並びに情報処理方法に関し、特に取得したインターネット上の情報資源を表示すると共に、利用者の操作に応じて視覚情報を追加し、これらの情報資源と視覚情報を合わせて他の利用者と共有する場合に適用して有用なものである。
【背景技術】
【０００２】
今日では情報通信端末をインターネットに接続し、主にＷＷＷ（Ｗｏｒｌｄ  ＷｉｄｅＷｅｂ、以下ウェブと称する）上にて提供される各種情報資源を取得することは一般的に行われている。
【０００３】
ウェブの利用者が情報資源を取得するには、その情報資源の所在を示すＵＲＬ（Ｕｎｉｆｏｒｍ  Ｒｅｓｏｕｒｃｅ  Ｌｏｃａｔｏｒ）をプログラムの一つであるブラウザソフトウェア（以下ウェブブラウザと称する）に入力することで、ウェブブラウザがその情報資源をウェブ上から取得する。ウェブブラウザは取得した情報資源の解析を行い、適切な表示形態に変換して情報通信端末の出力装置に出力する。利用者はその出力された結果を閲覧して、その情報資源に関心を寄せることや情報資源内のハイパーリンクを辿って他の情報資源を取得するといった行動を繰り返す。
【０００４】
上述のようにしてウェブブラウザで閲覧した情報資源の内、利用者が有用と考えた情報資源に対応するＵＲＬをウェブブラウザに記憶させる機能が備わっている。この機能は、前述の有用と考えた情報資源を後日に閲覧する際に用いられる機能であって、その情報資源の所在を示すＵＲＬを入力する手間を省いて、その情報資源を閲覧することを可能としている。このような機能は、例えば、マイクロソフト社製インターネットエクスプローラ（登録商標）やネットスケープコミュニケーションズ社製ネットスケープナビゲータ（登録商標）など広く使用されているウェブブラウザでは、それぞれ「お気に入り」や「ブックマーク」と称されている。
【０００５】
しかしながら、上述した機能は、単に情報資源とそのＵＲＬとの対応を記録するだけであるので、利用者がそのＵＲＬに示される情報資源中のどの部分を注視したかという情報を残すことができない。したがって情報資源中の特定部分に下線、丸囲み又は文字による覚書きなどの注釈を記す場合は、情報資源を出力した紙媒体に注釈を直接記入するか付箋紙を用いて注釈を付記するなどの方法を採っている。
【０００６】
上述のように紙媒体に注釈を記す場合、新たな注釈を記すためには既存の注釈がある領域を避けて追加する必要があり、また注釈位置の変更、注釈内容の編集を行うためにはそれらの注釈を一度消去する必要があるため、注釈の追加・編集作業は必ずしも簡便に行えるものではない。
【０００７】
さらに注釈を情報資源と共に他の利用者に伝達する場合、その情報資源のＵＲＬに関しては口頭や電子メール等の通信手段を介して伝達することができるものの、紙媒体上の注釈に関しては直接手渡しするか、スキャナ等の読取装置を用いて電子データ化した後に通信手段を用いて他の利用者に送付するなどの作業が必要となるため、注釈の伝達の容易さに問題がある。
【０００８】
上記問題点に対して、紙媒体で注釈を行う際に用いられる付箋紙の機能をウェブブラウザに実装して、ＵＲＬに示される情報資源を紙媒体に印刷することなく注釈を付け加えられることを可能とし、且つ注釈の編集作業を簡便に行えるようにしたウェブブラウザが開示されている（特許文献１，２参照）。また各利用者によって作成される注釈である付箋紙情報は電子化されたマニュアル等に付されると共に、インターネットに接続された付箋紙情報を管理するサーバにおいて各利用者からの付箋紙情報を管理し、その管理される付箋紙情報を各利用者で共有できる仕組みが開示されている（特許文献３参照）。
【０００９】
しかしながら、特許文献１に示される付箋機能追加プログラムは、取得した情報資源内の部分文字列は利用者が注視する箇所であることを利用者の覚書きと共に記憶させ、再度その情報資源を閲覧する際にはその注視した箇所がすぐに認識できるような形態で表示するものである。情報資源内の注視する位置は文字反転・文字色が適宜変更されることによって強調されるが、覚書きは注視した箇所とは一体に表示されないため情報資源と注釈とを照らし合わせて一覧することが難しくなっている。
【００１０】
また、特許文献２に示されるハイパーテキスト文書のブラウズ方法は、取得した情報資源であるハイパーテキスト内の注視する部分文字列の文字列属性情報を適宜変更し、その属性情報を元の情報資源に記憶させる方法で実現している。すなわち取得したハイパーテキスト内で注視する部分文字列に、文字サイズ・文字色などの文字列属性情報を定義するタグを付記することで注視している場所を表現している。上記方法で注視している箇所を記憶させる場合は、注釈の表現能力がハイパーテキストで定義されているタグで表現可能な範囲に制約されることとなる。例えば、紙媒体で行うような下線を引くような注釈は可能であっても、注視箇所を円で囲む、矢印を引くなどの図形を描画して注釈を付記するような表現をすることができない。
【００１１】
さらに、特許文献３に示される電子付箋装置は、各利用者が作成した注釈情報である付箋情報を管理するサーバにて管理している。そのため、別途に付箋情報を管理するサーバが必要となり、経済的及び運用的なコストが生起する。またサーバを介して付箋情報を授受するため、付箋情報の共有に際しては即時性に欠けている。
【００１２】
【特許文献１】特開２００３−２８１１４１号公報
【特許文献２】特開２００４−３０４４８号公報
【特許文献３】特開２００２−１０８８９７号公報
【発明の開示】
【発明が解決しようとする課題】
【００１３】
本発明は上記事情に鑑み、受信データを従来のウェブブラウザと同様に表示しつつ、従来の文字列情報主体の注釈を越えた利用者の自由な表現を情報資源に付け加えることを可能とし且つその表現を他の利用者と即時的に共有するプログラム及びプラグインプログラム並びに情報処理方法を提供することを目的とする。
【課題を解決するための手段】
【００１４】
上記目的を達成するための本発明の第１の態様は、ＵＲＬに示されるインターネット上の情報資源に図形、文字又はそれらの組合せからなる視覚情報を付記するために、コンピュータを、
前記ＵＲＬに基づいて前記情報資源を取得する情報資源取得手段と、
色情報を１つの要素とする情報資源描画領域を形成すると共に、前記情報資源に基づいて前記情報資源描画領域に色情報を設定することで前記情報資源を画像化する情報資源描画手段と、
前記コンピュータに設けられた入力手段を介して生成、削除又は編集された前記視覚情報を前記ＵＲＬと対にしてデータベースに記録する視覚情報入力手段と、
色情報を１つの要素とする視覚情報描画領域を形成すると共に、各要素を透明に初期化する描画キャンバス形成手段と、
前記データベースから前記ＵＲＬに対応する前記視覚情報を検索すると共に、検索に適合した前記視覚情報に基づいて前記視覚情報描画領域に色情報を設定することで前記視覚情報を画像化する視覚情報描画手段と、
前記情報資源描画領域の各要素を前記視覚情報描画領域の各要素と対応させた上で、前記視覚情報描画領域の要素の色情報が、透明以外の色情報であるならばその要素の色情報を、透明であるならばその要素に対応する前記情報資源描画領域の色情報を前記コンピュータに設けられた出力手段に出力する重ね合わせ手段として機能させるためのプログラムにある。
【００１５】
かかる第１の態様では、ＵＲＬに示されるインターネット上の情報資源を画像化して閲覧可能とすると共に、視覚情報を優先的に表示する重ね合わせ処理を行うため、視覚情報が情報資源に重なったように見える効果を奏する。これによって情報資源の種類に基づく表現力の制約を受けることなく、情報資源に対して視覚情報を自由に付記することが可能となる。また入力された視覚情報はＵＲＬと対となって永続的に保存されるため、再び同じＵＲＬの情報資源を閲覧する際に、以前に保存したそのＵＲＬに対応する視覚情報を読込み、表示することで、同様の視覚情報を入力する作業の負担を軽減することが可能となる。
【００１６】
本発明の第２の態様は、第１の態様に記載のプログラムにおいて、
前記視覚情報とそれに対応する前記ＵＲＬをファイルに出力する手段と、
前記ファイルを電子メールに添付して所定の電子メールアドレスに送信する手段と、
前記ファイルを読込み、前記視覚情報とそれに対応する前記ＵＲＬを取得する手段とを更に備えることを特徴とするプログラムにある。
【００１７】
かかる第２の態様では、視覚情報とそれに対応するＵＲＬをファイルとして、電子メールを介して他の利用者と交換することで、比較的簡易な方法で情報資源に付記した視覚情報を共有することが可能となる。
【００１８】
本発明の第３の態様は、第１又は２の態様に記載のプログラムにおいて、
前記情報資源描画手段は少なくとも２つ以上の前記情報資源を同時に画像化することを特徴とするプログラムにある。
【００１９】
かかる第３の態様では、同時に複数の情報資源を閲覧することで、複数の情報資源のそれぞれを逐次的に閲覧するための作業を軽減することが可能となる。
【００２０】
本発明の第４の態様は、第１〜３の何れかの態様に記載のプログラムにおいて、
インターネットに接続される少なくとも１台以上の他のコンピュータの端末識別子を特定する通信先特定手段と、
前記通信先特定手段によって特定された前記端末識別子を持つ前記他のコンピュータとの間でＵＲＬと視覚情報を送受信する視覚情報通信手段とを更に備え、
前記視覚情報通信手段は受信したＵＲＬと視覚情報を前記データベースに格納することを特徴とするプログラムにある。
【００２１】
かかる第４の態様では、他の利用者と通信手段を介して視覚情報を交換することで、即時的に視覚情報を共有することが可能となる。
【００２２】
本発明の第５の態様は、第４の態様に記載のプログラムにおいて、
前記通信先特定手段は、前記他のコンピュータの利用者の利用者識別子を他の手段で取得する一方、前記コンピュータの端末識別子と当該コンピュータの利用者を特定する利用者識別子を含む利用者情報を管理する利用者管理サーバに接続し、当該コンピュータの利用者情報を送信すると共に、前記他のコンピュータの利用者の利用者識別子に対応する利用者情報を取得することで、前記他のコンピュータの端末識別子を特定することを特徴とするプログラムにある。
【００２３】
かかる第５の態様では、視覚情報を送受信する相手の利用者の利用者識別子を基に、その利用者の利用する端末識別子が特定される。これによって、相手の利用者が利用するコンピュータの端末識別子を直接に取得することなく、相手の利用者と視覚情報を送受信することが可能となる。
【００２４】
本発明の第６の態様は、ＵＲＬに示されるインターネット上の情報資源の取得及び解析を行い、前記情報資源を画像情報に変換して表示をするブラウザプログラムに組み込み可能なプラグインプログラムであって、前記情報資源に図形、文字又はそれらの組合せからなる視覚情報を付記するために、コンピュータを、
前記コンピュータに設けられた入力手段を介して生成、削除又は編集された前記視覚情報を前記ＵＲＬと対にしてデータベースに記録する視覚情報入力手段と、
色情報を１つの要素とする視覚情報描画領域を形成すると共に、各要素を透明に初期化する描画キャンバス形成手段と、
前記データベースから前記ＵＲＬに対応する前記視覚情報を検索すると共に、検索に適合した前記視覚情報に基づいて前記視覚情報描画領域に色情報を設定することで前記視覚情報を画像化する視覚情報描画手段と、
前記画像情報に前記視覚情報描画領域の各要素を対応させた上で、前記視覚情報描画領域の各要素の色情報が、透明以外の色情報であるならばその要素の色情報を、透明であるならばその要素に対応する前記画像情報を前記コンピュータに設けられた出力手段に出力する重ね合わせ手段として機能させるためのプラグインプログラムにある。
【００２５】
かかる第６の態様では、既存のブラウザプログラムに習熟した利用者にとって操作性を損なうことなく、既存のブラウザプログラムに対し、視覚情報を入力する機能、及び視覚情報を資源情報に重ねて表示をする機能を付加することが可能となる。これによって、情報資源の種類に基づく表現力の制約を受けることなく、情報資源に対して視覚情報を自由に付記することが可能となる。また入力された視覚情報はＵＲＬと対となって永続的に保存されるため、再び同じＵＲＬの情報資源を閲覧する際に、以前に保存したそのＵＲＬに対応する視覚情報を読込み、表示することで、同様の視覚情報を入力する作業の負担を軽減することが可能となる。
【００２６】
本発明の第７の態様は、第６の態様に記載のプラグインプログラムにおいて、
前記視覚情報とそれに対応する前記ＵＲＬをファイルに出力する手段と、
前記ファイルを電子メールに添付して所定の電子メールアドレスに送信する手段と、
前記ファイルを読込み、前記視覚情報とそれに対応する前記ＵＲＬを取得する手段とを更に備えることを特徴とするプラグインプログラムにある。
【００２７】
かかる第７の態様では、既存のブラウザプログラムに習熟した利用者にとって操作性を損なうことなく、既存のブラウザプログラムに対し、視覚情報とそれに対応するＵＲＬをファイルとして、電子メールを介して他の利用者と交換する機能を付加することが可能となる。このことにより、既存のブラウザプログラムでも比較的簡易な方法で情報資源に付記した視覚情報を共有することが可能となる。
【００２８】
本発明の第８の態様は、第６又は７の態様に記載のプラグインプログラムにおいて、
インターネットに接続される少なくとも１台以上の他のコンピュータの端末識別子を特定する通信先特定手段と、
前記通信先特定手段によって特定された前記端末識別子を持つ前記他のコンピュータとの間でＵＲＬと視覚情報を送受信する視覚情報通信手段とを更に備え、
前記視覚情報通信手段は受信したＵＲＬと視覚情報を前記データベースに格納することを特徴とするプラグインプログラムにある。
【００２９】
かかる第８の態様では、既存のブラウザプログラムに習熟した利用者にとって操作性を損なうことなく、既存のブラウザプログラムに対し、他の利用者と通信手段を介して視覚情報を交換する機能を付加することが可能となる。このことにより、既存のブラウザプログラムでも即時的に視覚情報を共有することが可能となる。
【００３０】
本発明の第９の態様は、第８の態様に記載のプラグインプログラムにおいて、
前記通信先特定手段は、前記他のコンピュータの利用者の利用者識別子を他の手段で取得する一方、前記コンピュータの端末識別子と当該コンピュータの利用者を特定する利用者識別子を含む利用者情報を管理する利用者管理サーバに接続し、当該コンピュータの利用者情報を送信すると共に、前記他のコンピュータの利用者の利用者識別子に対応する利用者情報を取得することで、前記他のコンピュータの端末識別子を特定することを特徴とするプラグインプログラムにある。
【００３１】
かかる第９の態様では、既存のブラウザプログラムに習熟した利用者にとって操作性を損なうことなく、既存のブラウザプログラムに対し、視覚情報を送受信する相手の利用者の利用者識別子を基に、その利用者の利用する端末識別子が特定する機能を付加することが可能となる。このことにより、既存のブラウザプログラムでも相手の利用者が利用するコンピュータの端末識別子を直接に取得することなく、相手の利用者と視覚情報を送受信することが可能となる。
【００３２】
本発明の第１０の態様は、ＵＲＬに示されるインターネット上の情報資源に図形、文字又はそれらの組合せからなる視覚情報を付記する情報処理方法であって、
前記ＵＲＬに基づいて前記情報資源を取得するステップと、
色情報を１つの要素とする情報資源描画領域を形成すると共に、前記情報資源に基づいて前記情報資源描画領域に色情報を設定することで前記情報資源を画像化するステップと、
前記コンピュータに設けられた入力手段を介して生成、削除又は編集された前記視覚情報を前記ＵＲＬと対にしてデータベースに記録するステップと、
色情報を１つの要素とする視覚情報描画領域を形成すると共に、各要素を透明に初期化するステップと、
前記データベースから前記ＵＲＬに対応する前記視覚情報を検索すると共に、検索に適合した前記視覚情報に基づいて前記視覚情報描画領域に色情報を設定することで前記視覚情報を画像化するステップと、
前記情報資源描画領域の各要素を前記視覚情報描画領域の各要素と対応させた上で、前記視覚情報描画領域の要素の色情報が、透明以外の色情報であるならばその要素の色情報を、透明であるならばその要素に対応する前記情報資源描画領域の色情報を前記コンピュータに設けられた出力手段に出力するステップとを含む情報処理方法にある。
【００３３】
かかる第１０の態様では、ＵＲＬに示される公開されたインターネット上の情報資源を画像化して閲覧可能とすると共に、視覚情報を優先的に表示する重ね合わせ処理を行うため、視覚情報が情報資源に重なったように見える効果を奏する。これによって情報資源の種類に基づく表現力の制約を受けることなく、情報資源に対して視覚情報を自由に付記することが可能となる。また入力された視覚情報はＵＲＬと対となって永続的に保存されるため、再び同じＵＲＬの情報資源を閲覧する際に、以前に保存したそのＵＲＬに対応する視覚情報を読込み、表示することで、同様の視覚情報を入力する作業の負担を軽減することが可能となる。
【００３４】
本発明の第１１の態様は、第１０の態様に記載の情報処理方法において、
インターネットに接続される少なくとも１台以上の他のコンピュータの端末識別子を特定するステップと、
前記端末識別子を持つ前記他のコンピュータとの間でＵＲＬと視覚情報を送受信するステップと、
前記他のコンピュータより受信したＵＲＬと視覚情報を前記データベースに格納するステップを更に備えことを特徴とする情報処理方法にある。
【００３５】
かかる第１１の態様では、他の利用者と通信手段を介して視覚情報を交換することで、即時的に視覚情報を共有することが可能となる。
【００３６】
本発明の第１２の態様は、第１１の態様に記載の情報処理方法において、
前記他のコンピュータの利用者の利用者識別子を他の手段で取得する一方、前記コンピュータの端末識別子と当該コンピュータの利用者を特定する利用者識別子を含む利用者情報を管理する利用者管理サーバに接続し、当該コンピュータの利用者情報を送信すると共に、前記他のコンピュータの利用者の利用者識別子に対応する利用者情報を取得することで、前記他のコンピュータの端末識別子を特定するステップを更に備えたことを特徴とする情報処理方法にある。
【００３７】
かかる第１２の態様では、視覚情報を送受信する相手の利用者の利用者識別子を基に、その利用者の利用する端末識別子が特定される。これによって、相手の利用者が利用するコンピュータの端末識別子を直接に取得することなく、相手の利用者と視覚情報を送受信することが可能となる。
【発明の効果】
【００３８】
本発明に係るプログラム及びプラグインプログラム並びに情報処理方法はウェブ上で公開されている各種情報資源を取得して利用者に提示するだけでなく、注釈としての視覚情報を情報資源に付記することが可能であるという効果を奏する。また視覚情報を付記する際には、利用者は視覚情報を作成して既存の情報資源に重ねることで視覚情報の付記機能を実現する形態であるため、情報資源の種別によって視覚情報の表現形態が制限されず、高い自由度をもって視覚情報を表現することが可能となる。さらに本プログラムを利用する複数の利用者の間で各利用者が作成した視覚情報を通信手段によって授受することによって、他の利用者との間で情報資源と共に視覚情報を共有することが可能である。すなわち文字情報のみならず図形などの視覚によって感知できる形状で視覚情報を作成し且つ他の利用者と共有できるため、特に文字情報だけでは伝達困難な事項を伝達するのに有用である。
【発明を実施するための最良の形態】
【００３９】
以下、本発明を実施するための最良の形態について説明する。なお、本実施形態の説明は例示であり、本発明は以下の説明に限定されない。
【００４０】
＜実施形態１＞
本発明に係るプログラムの一実施形態であるウェブブラウザ１を情報通信端末２０で実行して、情報資源３３を取得し、その情報資源３３に対する注釈として各種の視覚情報３１を付記する機能に関連した説明を行う。
【００４１】
ここで、情報通信端末２０は例えばマイクロソフト社製Ｗｉｎｄｏｗｓ（登録商標）をＯＳとするコンピュータであって、インターネット又はＬＡＮ等を介して接続された他の情報通信端末と通信可能に接続されている。また出力手段２２は各種情報を出力するディスプレイであり、入力手段２１は文字入力を行うキーボード及びマウス等のポインティングデバイスである。
【００４２】
ウェブブラウザ１は情報通信端末２０にインストールされて、所定の機能を実現するものであり、図１はウェブブラウザ１が情報通信端末２０上で動作する際の機能ブロック図である。図示するように、ウェブブラウザ１は、入力手段２１等より与えられたＵＲＬ３０に従ってウェブサーバ４０が保持する情報資源３３を取得する情報資源取得手段２と、取得した情報資源３３を画像化して情報資源描画領域に格納する情報資源描画手段３とを具備している。さらに入力手段２１から得られる情報を視覚情報３１として構成すると共にデータベース４に記憶する視覚情報入力手段８と、データベース４に記憶された視覚情報３１を読出し且つ視覚情報３１を画像化する視覚情報描画手段５と、前述の画像化された視覚情報３１を格納する視覚情報描画領域を形成する描画キャンバス形成手段６と、情報資源描画領域と視覚情報描画領域を重ね合わせて画像情報３２を生成して出力手段２２に出力する重ね合せ手段７とを具備している。
【００４３】
ここで、上述したウェブブラウザ１の各構成要素について説明する。
【００４４】
情報資源取得手段２は、ＵＲＬ３０に示される情報資源３３を取得する機能を実現する。取得する情報資源３３は、具体的にはＨＴＭＬ（Ｈｙｐｅｒ  Ｔｅｘｔ  Ｍａｒｋｕｐ  Ｌａｎｇｕａｇｅ）で記述された電子文書が主であるが、それに限定されない。すなわち他の形式で記述された電子文書やＪＰＥＧ、ＰＮＧ，ＧＩＦ等の画像ファイルでもよい。これによって、特定の形式の電子文書に限定されずにインターネット上で公開されている情報資源３３に対して、利用者が視覚情報３１を付記することが可能となる。
【００４５】
また、このＵＲＬ３０は入力手段２１を介して利用者から与えられるが、必ずしもそれに限定されない。すなわち、例えば利用者が他のＵＲＬに示される情報資源を閲覧していて、その中に含まれているハイパーリンクを選択した際のＵＲＬでもよい。さらに特に図示していないが、利用者がウェブブラウザ１に予め記憶させておいたＵＲＬ情報リスト（マイクロソフト社製インターネットエクスプローラの「お気に入り」機能に相当）内から選択されるＵＲＬであってもよい。
【００４６】
なお、情報資源３３を取得する際の通信プロトコルはＨＴＴＰ（Ｈｙｐｅｒ  Ｔｅｘｔ  Ｔｒａｎｓｆｅｒ  Ｐｒｏｔｏｃｏｌ）が主であるが、それに限定されず、ＦＴＰ（Ｆｉｌｅ  Ｔｒａｎｓｆｅｒ  Ｐｒｏｔｏｃｏｌ）を含むＵＲＬに記述可能な他のプロトコルでもよい。
【００４７】
情報資源描画手段３は、出力手段２２に表示するために取得した情報資源３３を画像に変換する機能を実現している。具体的には、取得した情報資源３３の種類を判別し、その種類に応じて解析を行った上で、適宜画像化して情報資源描画領域に格納する。例えば取得した情報資源３３がＨＴＭＬだった場合は、ＨＴＭＬで定義されるタグを解釈して、文字情報の配置・修飾やＨＴＭＬ内に指示されている画像ファイルの取得・配置などを行い、利用者に視認できるようにする。これによって、ＵＲＬ３０で示される情報資源３３を表示するという従来のウェブブラウザで備えている機能と同等の機能を実現する。
【００４８】
ここで情報資源描画手段３における画像化とは情報資源３３に基づいて色情報を持つ点（以下ピクセルと称す）を２次元に配列して情報資源３３を表現することをいう。また情報資源描画領域とは情報通信端末２０の主記憶に確保された記憶領域をいう。したがって、画像化された情報資源３３の各ピクセルは、情報資源描画領域の各要素に格納されることとなる。また情報資源描画領域の大きさは情報資源３３の解析結果や出力手段２２の表示領域の大きさに基づいて決定され、例えば情報資源３３が縦方向に４００、横方向に２００個のピクセルに画像化される場合、情報資源描画領域は、少なくとも４００×２００個のピクセルを収める大きさの記憶領域となる。
【００４９】
なお、この情報資源描画手段３は、一つのＵＲＬに示される情報資源に限定されず、複数の情報資源を取得し且つ同時に閲覧可能に各々の情報資源を配列して描画する機能を備えることも可能である。具体的には、取得した複数の情報資源の各々を縮小又はクリッピングを行った上で、情報資源描画領域の一部の領域に画像化することで実現する。この機能によって、利用者は一つの表示画面に複数の情報資源を同時に閲覧することで、複数の情報資源のそれぞれを逐次的に閲覧するための作業を軽減する効果を奏する。
【００５０】
視覚情報入力手段８は、入力手段２１を介して得られた入力データを視覚情報として構成し、入力時に閲覧していた情報資源３３のＵＲＬ３０と共に、データベース４に記憶する機能を実現する。例えばウェブブラウザ１の利用者がマウスを操作して自由曲線を描く動作をした場合、ＯＳより取得したマウスポインタの軌跡の座標情報を自由曲線情報として構成し、記憶する。詳細な入力処理については後述する。
【００５１】
ここで視覚情報３１とは、文字情報、線分情報、自由曲線情報、矩形情報、付箋紙情報、図形情報及び前記情報通信端末の利用者を象徴する絵であるマスコット情報から構成されるものである。具体的なデータ構造は後述する。
【００５２】
ここでデータベース４とは、利用者より与えられる視覚情報３１をＵＲＬ３０と対応付けて記録する機能を実現する。またＵＲＬ３０を検索キーとして、対応する視覚情報を検索する機能を有している。この機能を実現するために、汎用的なＳＱＬサーバを用いてもよいし、主記憶上に視覚情報３１とＵＲＬ３０を記憶させて、ＵＲＬ３０を検索キーとして検索を行う関数を実装してもよい。
【００５３】
視覚情報入力手段８が視覚情報３１をデータベース４に記録することによって、ＵＲＬ３０を特定すればそのＵＲＬ３０に付記された注釈である各視覚情報を取出すことが可能となる。例えば、ウェブブラウザ１の利用者がＵＲＬ３０に示される情報資源３３を閲覧すると共に、視覚情報３１を付記した場合、そのＵＲＬ３０と視覚情報３１はデータベース４に記憶される。後に利用者がそのＵＲＬ３０に示される情報資源３３を再び閲覧する際には、ＵＲＬ３０に対応する視覚情報３１が再度画像化されるため、利用者にとっては過去に入力した視覚情報３１が再現されるという効果を奏することとなる。
【００５４】
描画キャンバス形成手段６は、画像化された視覚情報３１を格納する視覚情報描画領域を形成する機能を実現している。ここで視覚情報描画領域とは情報通信端末２０の主記憶に確保された記憶領域である。その大きさは、原則として情報資源描画領域と同じ大きさであるが、その大きさに限定されない。この視覚情報描画領域の各要素には原則として透明の色情報が格納されるが、画像化された視覚情報３１と対応する要素には視覚情報３１に基づいた色情報が格納される。例えば、視覚情報３１として黒色の線分情報が与えられた場合、視覚情報描画領域の各要素の中で、線分の始点と終点及びその間に対応する要素には黒色の色情報が格納され、それ以外の要素には透明の色情報が格納される。
【００５５】
視覚情報描画手段５は、データベース４に記憶された視覚情報３１の中からＵＲＬ３０に対応する視覚情報３１を取出し、視覚情報３１を画像化する機能を実現する。これによって利用者は視覚情報３１を画像として認識できるようになる。ここで視覚情報描画手段５における画像化とは視覚情報３１に基づいてピクセルを２次元に配列して視覚情報３１を表現することをいう。
【００５６】
重ね合せ手段７は、情報資源描画領域の各要素に視覚情報描画領域の各要素を重ね合わせて画像情報３２を生成した上で出力手段２２に提供する機能を実現する。すなわち、あたかも情報資源３３の上に視覚情報３１が付記されたように表示することが実現される。このことにより、利用者の注釈を付記する対象である情報資源３３の情報の種類に関わらず、任意の視覚情報３１を付記することが可能となる。すなわち、従来技術のようにＨＴＭＬのタグを編集することで注釈を付記する場合は、注釈の表現能力はＨＴＭＬのタグで表現可能な範囲に限定されるが、本実施形態におけるウェブブラウザ１においては、そのような限定の無い注釈をつけることが可能となる。なお、重ね合わせの方法に関しては詳細に別途後述する。
【００５７】
ここで、上述の構成要素からなるウェブブラウザ１の動作について説明する。図２は、ウェブブラウザ１が情報通信端末２０上で動作する際の処理手順の概略を示す図である。
【００５８】
図示するように、まず入力手段２１よりウェブブラウザ１にＵＲＬ３０が入力されると（Ｓ１）、そのＵＲＬ３０に示されるウェブサーバ４０に情報資源３３を要求し、その要求に応じて転送される情報資源３３を取得する（Ｓ２）。次に取得した情報資源３３を分析し、画像化した上で情報資源描画領域に保持する（Ｓ３）。また描画キャンバス形成手段６で視覚情報描画領域の全要素に透明情報を設定して初期化をする。視覚情報描画領域に視覚情報３１が描画されていない状態とするためである。（Ｓ４）。ここでデータベース４を検索して以前にＵＲＬ３０に対して付記した視覚情報３１の有無を確認する（Ｓ５）。その結果、ＵＲＬ３０に対応する視覚情報３１が無いならば、情報資源描画領域に格納されている画像化された情報資源３３を出力手段２２に提供して、利用者に提示する（Ｓ７）。一方、視覚情報３１が存在する場合は、視覚情報３１と情報資源３３を重ね合せる処理が重ね合せ手段７によって行われる（Ｓ６）。この重ね合せ処理の詳細については後述する。
【００５９】
ここまでの処理によって、ＵＲＬ３０に示される情報資源３３を画像化して利用者に提示される。また以前に入力した注釈である視覚情報３１がある場合、視覚情報３１が情報資源３３に重ね合わされて表示される。
【００６０】
視覚情報入力処理では、利用者が入力手段２１を用いて所定の動作を行った結果、視覚情報３１がデータベース４に記憶される（Ｓ８）。この入力処理の詳細については後述する。Ｓ８で入力された結果に従って、Ｓ６と同様の重ね合せ処理を行い（Ｓ９）、出力手段２２に重ね合わせた結果である画像情報３２を出力する（Ｓ１０）。次に新たなＵＲＬが入力されたかを判断し（Ｓ１１）、新たなＵＲＬが入力された場合は、そのＵＲＬに従ってＳ３からの手順を実行する。また、ウェブブラウザ１の使用を終了する際に選択する「終了」ボタンが選択されたかを判断し（Ｓ１２）、「終了」ボタンが選択された場合は、ウェブブラウザ１を終了させる。「終了」ボタンが選択されない場合は、利用者からの他の視覚情報の入力に対応すべく、Ｓ８の視覚情報入力処理を実行する。
【００６１】
図３（ａ）は視覚情報入力処理の手順を示す図であり、図４及び図５は本発明の実施形態１に係る入力処理を行う際の画面を例示した図である。これらの図を用いてＳ８に示した視覚情報入力処理の手順について詳細に説明する。なお視覚情報入力処理は、入力手段２１より得たマウス、キーボードからの入力情報を視覚情報入力処理８が主体となって処理することを前提としている。
【００６２】
まず、ウェブブラウザ１は利用者にどの種別の視覚情報３１を入力するかを選択させ（Ｓ２０）、その選択に応じた各種視覚情報の入力を行わせる（Ｓ２１〜２７）。入力された視覚情報３１はＵＲＬ３０と対応させて、データベース４に記憶される（Ｓ２８）。この処理によって利用者が入力する注釈である視覚情報３１がデータベース４に記憶される。
【００６３】
図４（ａ）はＵＲＬ入力欄５１にＵＲＬ３０を入力して、表示領域５０にそのＵＲＬ３０に対応する情報資源３３が画像化された状態のウェブブラウザ１の表示形態である。メニュー表示領域５２には視覚情報３１の種別を選択するボタンが列挙される。この状態は図２においてＳ１〜５を経てＳ７の処理が完了した状態である。この場合Ｓ２０の視覚情報種別の選択処理は、メニュー表示領域５２にある各ボタンをマウスで選択させることにより行う。
【００６４】
例えば図４（ｂ）に示すように、スタンプボタン５３は図形情報を新規に生成する際に選択するボタンである。同様に、図５（ａ）のテキストボタン５６は付箋紙情報、図５（ｂ）のフリーハンドボタン６６は自由曲線情報を新規に生成する際に選択するボタンである。また表示領域５０に描画された視覚情報を選択して削除するための削除ボタンや再編集するための選択ボタンを備えることも可能である。削除ボタンは表示領域５０内に描画された視覚情報３１を選択することでデータベース４に記憶された該当する視覚情報３１を削除する機能を実現する。選択ボタンは表示領域５０内に描画された視覚情報３１を選択することで、視覚情報３１を生成した際と同様の操作をもって、データベース４に記憶された該当する各属性情報を変更する機能を実現する。
【００６５】
メニュー表示領域５２内のメニューを選んだ後、利用者はそれぞれ視覚情報３１の種別に応じた入力を行う。入力は表示領域５０の範囲内でマウス等を所定の動作をさせることで視覚情報３１を入力する。これによって表示領域５０に表示された情報資源３３を見ながら視覚情報３１を入力できるため、利用者が注釈をつけたい箇所を特定しやすく、直観的に視覚情報３１を入力することが可能となる。例えば線分情報を入力する場合は、表示領域５０内の任意の２点をマウスで指示する。
【００６６】
Ｓ２８で入力された視覚情報３１は次に説明するようにデータベース４に記憶される。例えば線分情報に関しては、データベース４は、図６（ａ）に示す各行のように視覚情報識別子、ＵＲＬ、視覚情報種別を一つの組にして管理する。視覚情報識別子の列には視覚情報３１に与えられた一意な識別子が、ＵＲＬの列には視覚情報３１と対応するＵＲＬが、視覚情報種別には視覚情報の種別が各々格納されている。さらに、図６（ｂ）の線分情報は視覚情報識別子、始点座標、終点座標、線幅、線の色、線の縁の色、透過率から構成されている。図６（ａ）と（ｂ）で同一の視覚情報識別子を持つ行は各々が対応していることを示している。すなわち線分情報とＵＲＬの関係は図６（ａ）に、線分情報の各属性情報は図（ｂ）のように格納されている。
【００６７】
このようなデータの構成によって、図６（ａ）でＵＲＬを特定すれば、対応する視覚情報識別子を得ることが可能となり、その視覚情報識別子に関連する属性情報を得ることが可能となる。
【００６８】
以下に注釈である視覚情報を構成する線分情報、矩形情報、文字情報、付箋紙情報、自由曲線情報、図形情報及びマスコット情報はそれぞれ図６の（ｂ）〜（ｈ）のように記憶される。なおマスコット情報に関しては実施形態２にて説明する。
【００６９】
＜線分情報＞
線分情報は始点座標、終点座標、線幅、線の色、線の縁の色及び透過率という属性から構成されている。始点座標及び終点座標は表示領域５０の横方向座標と縦方向座標の組からなっている。例えば利用者は線分情報入力ボタンを選択し、線幅、線の色、線の縁の色を指定する。次に表示領域５０内の任意の位置にマウスポインタを移動させると共にマウスのボタンを押すことで始点座標を確定させた後、押したままの状態で終点位置までマウスポインタを移動させ、マウスのボタンを離して終点座標を確定させる。以上の動作によって得られる線幅、線の色、線の縁の色、始点座標、終点座標と共に視覚情報識別子を図６（ｂ）に示すように記憶する。
【００７０】
＜矩形情報＞
矩形情報は左上座標、右下座標、線幅、線の色、矩形の塗りつぶし色、透過率及び特殊効果という属性から構成されている。左上座標及び右下座標は矩形の左上及び左下の点がどの座標となるかを示すものである。例えば利用者は矩形情報入力ボタンを選択し、線幅、線の色、線の縁の色、矩形の塗りつぶし色、透過率及び特殊効果を指定する。次に、線分情報と同様に表示領域５０内の任意の位置にマウスポインタを移動させると共にマウスのボタンを押すことで左上座標を確定させた後、押したままの状態で終点位置までマウスポインタを移動させ、マウスのボタンを離して右下座標を確定させる。以上の動作によって得られる線幅、線の色、線の縁の色、透過率、特殊効果及び左上座標、右下座標と共に視覚情報識別子を図６（ｃ）に示すように記憶する。
【００７１】
＜文字情報＞
文字情報は表示開始座標、文字サイズ、文字の色、入力文字列及び透過率という属性から構成されている。表示開始座標は表示領域５０においてどの座標から入力文字列を表示するかを特定する座標である。例えば利用者は文字情報入力ボタンを選択し、文字サイズ、文字の色及び透過率を指定する。次に、線分情報と同様に表示領域５０内の任意の位置にマウスポインタを移動させると共にキーボード等の文字入力装置から任意の文字列を入力させて入力文字列を確定させる。以上の動作によって得られる表示開始座標、文字サイズ、文字の色、入力文字列及び透過率を図６（ｄ）に示すように記憶する。
【００７２】
＜付箋紙情報＞
矩形情報は矩形内に文字を表示したものであって、付箋左上座標、付箋右下座標、付箋色、文字サイズ、文字の色、入力文字列及び透過率という属性から構成されている。例えば利用者は付箋情報入力ボタンを選択し、付箋色、文字サイズ、文字の色及び透過率を指定する。次に、矩形情報と同様に表示領域５０内の任意の位置にマウスポインタを移動させると共にマウスのボタンを押すことで付箋左上座標を確定させた後、押したままの状態で終点位置までマウスポインタを移動させ、マウスのボタンを離して付箋右下座標とすることで付箋紙の表示領域を確定させる。最後にキーボードから文字入力を行い、付箋紙上に表示させる文字列を確定させる。以上の動作によって得られる付箋左上座標、付箋右下座標、付箋色、文字サイズ、文字の色、入力文字列及び透過率と共に視覚情報識別子を図６（ｅ）に示すように記憶する。
【００７３】
例えば、図５（ａ）に付箋紙情報を入力する際のウェブブラウザ１の表示画面を示す。付箋紙入力メニューであるボタン５６を選択し、文字書体メニュー５７、文字サイズメニュー５８、文字色メニュー５９、付箋色メニュー６０、透過率メニュー６１のそれぞれどのような値をとるかを利用者が決める。その後付箋左上点６２でマウスボタンを押し付箋右下点６３へマウスポインタを移動させた後にマウスボタンを離して付箋紙表示領域６４が確定する。その後キーボードより文字列６５を入力して、図６（ａ）及び（ｅ）に記録される。付箋紙表示領域６４に示された領域はその記録された情報を基に、後に説明する重ね合せ処理によって描画された結果である。この状態は図３（ａ）のＳ２０，Ｓ２４，Ｓ２８の処理が完了した状態である。
【００７４】
＜自由曲線情報＞
本実施形態においての自由曲線情報とは点を結んでなる曲線のことを言うが、スプライン曲線やベジェ曲線であってもよい。自由曲線情報は２以上の点の座標からなる座標リスト、線幅、線の色、線の縁の色及び透過率という属性から構成されている。例えば利用者は自由曲線情報入力ボタンを選択し、線幅、線の色、線の縁の色及び透過率を指定する。次に、線分情報と同様に表示領域５０内の任意の位置にマウスポインタを移動させると共にマウスのボタンを押す。押したままの状態で表示領域５０内で任意にマウスポインタを移動させ、マウスのボタンを離すまでの間にマウスポインタが通過した点の座標を座標リストとする。以上の動作によって得られる座標リスト、線幅、線の色、線の縁の色及び透過率と共に視覚情報識別子を図６（ｆ）に示すように記憶する。
【００７５】
例えば、図５（ｂ）に自由曲線情報を入力する際のウェブブラウザ１の表示画面を示す。自由曲線入力メニューであるボタン６６を選択し、線の色メニュー６７、線の縁の色メニュー６８、線幅メニュー６９をそれぞれどの値にするかを利用者が決める。その後始点７０・７２でマウスボタンを押し、マウスボタンを押したままの状態で終点７１・７３まで任意の軌跡を描くようマウスポインタを移動させた後にマウスボタンを離して自由曲線情報の点列リストの各要素が確定し、図６（ａ）及び（ｆ）に記録される。図５（ｂ）に示す軌跡７４，７５は図６（ｆ）に示す自由曲線情報を基に、後に説明する重ね合せ処理によって描画された結果である。この状態は図３（ａ）のＳ２０，Ｓ２５，Ｓ２８の処理が完了した状態である。
【００７６】
＜図形情報＞
図形情報はＪＰＥＧ，ＧＩＦ，ＰＮＧ，ＢＭＰを含む画像フォーマットで記録された任意の画像であって、本実施形態においてはスタンプのように表示領域５０内に描画される。図形情報は表示位置と図形情報を収めたファイル名及び透過率から構成されている。例えばウェブブラウザ１に複数の図形情報を用意しておき、利用者がその図形情報の一つを選択し透過率を指定した後、表示領域５０内の任意の位置にマウスポインタを移動させマウスのボタンを押して図形情報を表示させる座標を確定させる。以上の動作によって得られる表示位置座標、図形情報ファイル名及び透過率と共に視覚情報識別子を図６（ｇ）に示すように保持する。
【００７７】
例えば、図４（ｂ）に図形情報を入力する際のウェブブラウザ１の表示画面を示す。図形情報画像ファイルを一覧表示した画像リスト表示領域５４中からひとつの画像をマウスで選択し、表示領域５０内の任意の点でマウスをクリックすることで選択した画像とクリックした座標が図６（ａ）及び（ｇ）に記録される。ハート型図形情報５５はその記録された情報を基に、後に説明する重ね合せ処理によって描画された結果である。この状態は図３（ａ）のＳ２０，Ｓ２６，Ｓ２８の処理が完了した状態である。
【００７８】
次に、Ｓ６及びＳ９に示した重ね合せ処理の手順について、図３（ｂ）及び図７を用いて詳細に説明する。図３（ｂ）は重ね合せ処理の手順を示す図である。図７は本発明の実施形態１に係る重ね合せ処理を行う際の画面を例示した図である。なお重ね合せ処理は、重ね合せ手段７が主体となって処理することを前提としている。
【００７９】
図示するように、ＵＲＬ３０に対応する視覚情報３１をデータベース４から読出し（Ｓ３０）、読み出した視覚情報３１を画像化して、描画キャンバス形成手段６によって形成された視覚情報描画領域に格納する（Ｓ３１）。次に画像化された情報資源３３を格納する情報資源描画領域に、画像化された視覚情報３１を格納する視覚情報描画領域を重ねる（Ｓ３２）。
【００８０】
表示領域８０には視覚情報３１が重ね合わされていない状態の情報資源３３が表示されている。これに視覚情報３１を重ね合わせる処理の詳細は以下のとおりとなる。
【００８１】
ＵＲＬ３０がｈｔｔｐ：／／ｗｗｗ．ｅｘａｍｐｌｅ．ｃｏｍ／ｉｎｄｅｘ．ｈｔｍｌであった場合、そのＵＲＬ３０に対応して図６（ａ）の視覚情報識別子が１〜３である行の視覚情報が取り出される。その視覚情報識別子に基づいて、図６（ｂ）、（ｃ）、（ｄ）から対応する視覚情報識別子を持った属性情報を読み出す（Ｓ３０）。読み出した視覚情報は画像化されて、視覚情報描画領域に格納される（Ｓ３１）。仮に、この視覚情報描画領域の内容を出力手段２２に表示させた場合は、視覚情報識別子１〜３の各視覚情報は図７の領域８１内の線分８２、文字８４、矩形８３のように表示される。領域８１内で、これらの各視覚情報が表示されていないピクセルは、透明情報が格納されている視覚情報描画領域の要素と対応している。
【００８２】
次に、情報資源描画領域と視覚情報描画領域を重ね合わせる（Ｓ３２）。この重ね合わせの際には、情報資源描画領域と視覚情報描画領域の各要素が一致するように重ね合わせる。すなわち情報資源描画領域と視覚情報描画領域からそれぞれ１つの要素を取出して、それぞれに対応するピクセルがピクセル８５・８７であった場合、ピクセル８５は表示領域８０内で水平方向に５０、垂直方向に６０という座標を持ち（以下座標の組を（５０，６０）と表記する）、ピクセル８７は領域８１内で同一の座標（５０，６０）を持つように対応させて重ね合わせる。
【００８３】
このように情報資源描画領域と視覚情報描画領域の各要素を対応させた上で、視覚情報描画領域の各要素の色情報が、透明以外の色情報であるならばその色情報を、透明の色情報であるならばその要素に対応する情報資源描画領域にある色情報を出力する。例えばピクセル８７は線分８２、矩形８３、文字８４のいずれにも対応するピクセルではなく、透明の色情報が格納されたピクセルであるため、ピクセル８９の座標にピクセル８５の色情報が表示される。すなわち情報資源３３のピクセルが表示されることとなる。一方、領域８１内のピクセル８８は矩形８３に対応するピクセルであるため、ピクセル９０の座標にピクセル８８の色情報が表示される。すなわち視覚情報３１のピクセルが表示されることとなる。
【００８４】
なお、上述の重ね合わせの方法の他に、視覚情報３１の透過率を基に、視覚情報３１に透過処理を施した上で、情報資源３３に重ね合わせることも可能である。これによって視覚情報３１を通してその下の情報資源３３が透けて見える効果が得られる。他に視覚情報３１の領域に相当する情報資源３３の部分が画像変換されて表示される特殊効果機能を実現することができる。ここで特殊効果とはモザイク効果や凸レンズ効果を含むものであって、一般に画像処理で用いられる各種フィルタ効果のことを言う。
【００８５】
具体的に、視覚情報として矩形情報を用いた場合の透過処理・特殊効果処理について図８を用いて説明する。本発明の実施形態１に係る重ね合せ処理としてモザイク及び透過効果を適用する際の画面を例示した図である。
【００８６】
前述した重ね合せ処理と同様に、視覚情報描画領域に矩形情報１００〜１０２が格納された状態を示す領域８１がある。ただしこれら矩形情報は矩形情報１００には特殊効果としてモザイク効果が設定されており、矩形情報１０１には透過率として５０％、矩形情報１０２は透過率として０％と設定されている。
【００８７】
この設定で重ね合せを行う際には矩形情報１００の左上座標，右下座標を取得し、この座標に対応する領域にある情報資源描画領域の各要素を対象にモザイク効果を施す。これによって破線領域１０３に示される領域がモザイク処理されて表示されることとなる。同様に透過を持たせて重ね合わせる際も、矩形情報１０１の左上座標、右下座標を取得し、この座標に対応する領域内にある情報資源描画領域の各要素を透過処理の対象とする。例えば矩形１０４の透過率が２０％であるならば、矩形１０４内にあるピクセル１０７の色情報に透過率０．２を掛け、ピクセル１０６の色情報に１−０．２を掛けて両者を足した色をピクセル１０８の色情報とすることで透過処理を実現する。
【００８８】
なお、情報資源３３と視覚情報３１とを画像化して重ね合わせた結果を所定のフォーマットを有する画像形式（ＧＩＦ，ＪＰＥＧ，ＰＮＧ等）に保存してもよい。またデータベース４に格納された内容をファイルに保存してもよい。さらに、ウェブブラウザ１に電子メール送信手段を設け、それらの保存したファイルを電子メールに添付し、所定の電子メールアドレスに送信することで視覚情報３１を含んだウェブ上の情報資源３３を他の利用者と共有することが可能である。
【００８９】
さらに、本実施形態に係るウェブブラウザ１の機能は単独のプログラムとして実装されることに限定されず、既存のウェブブラウザ、例えばマイクロソフト社製インターネットエクスプローラ（登録商標）やネットスケープコミュニケーションズ社製ネットスケープナビゲータ（登録商標）のプラグインとして実装してもよい。この場合、必要となる機能は、図１の機能ブロック図にある視覚情報入力手段８、データベース４、視覚情報描画手段、描画キャンバス形成手段６及び重ね合わせ手段である。これらの機能や処理内容はウェブブラウザ１と同様でよい。これらの要素に加えて、既存のウェブブラウザとのインタフェース部分を実装することでプラグインプログラムを実装することが可能となり、ウェブブラウザ１と同等の機能を既存のウェブブラウザ上で実現することができる。
【００９０】
＜実施形態２＞
本発明に係るプログラムの一実施形態であるウェブブラウザ１０を情報通信端末２０で実行して、インターネットを介して別々の利用者が作成した視覚情報３１，３４を相互に授受することにより、視覚情報の共有を図る場合を例示して説明する。なお、上述した実施形態１と同様の構成要素には同一の符号を付して重複する説明については省略する。
【００９１】
図９はウェブブラウザ１０が情報通信端末２０上で動作する際の機能ブロック図である。なお、ウェブブラウザ４１はウェブブラウザ１０と機能的に同一のものであり、情報通信端末２０と同等の機能を有する他の情報通信端末で実行されている点だけが異なる。
【００９２】
このような構成において、本実施形態は図９に示すように、ウェブブラウザ１０は視覚情報通信手段１１及び通信先特定手段１２を備えている点が上述した実施形態１のウェブブラウザ１と異なっている。また利用者に関する情報を管理する利用者管理サーバ４２が設けられ、インターネットを介してウェブブラウザ１０と通信可能な状態となっている。さらに他の情報通信端末で実行されるウェブブラウザ４１もインターネットを介して情報通信端末２０と通信可能な状態となっている。
【００９３】
利用者管理サーバ４２は、利用者識別子と端末識別子を対応付けて管理するサーバであって、ウェブブラウザ１０から送信された利用者識別子を検索キーとして、その利用者識別子を持つ者が利用する情報通信端末の端末識別子を送信する機能を実現する。具体的には、ウェブブラウザ１０から受信する利用者識別子と端末識別子の情報を対にして記憶する。次に、ウェブブラウザ１０の利用者が視覚情報を共有する相手の利用者識別子を受信した際には、その利用者識別子を検索キーとしてそれに対応する端末識別子を検索し、その端末識別子をウェブブラウザ１０に送信する。これによってウェブブラウザ１０を利用している利用者のすべての利用者識別子及び端末識別子を管理することが可能となり、その結果、各ウェブブラウザ１０から送信される利用者識別子を持つ利用者がどの情報通信端末を利用しているかが特定することが可能となる。
【００９４】
視覚情報通信手段１１は、ウェブブラウザ４１との間で視覚情報３１の送信及び視覚情報３４の受信を行う機能を実現する。具体的には、ウェブブラウザ４１で作成された視覚情報３４を受信して且つデータベース４に記憶する。一方、ウェブブラウザ１０に入力された視覚情報３１はデータベース４に記憶されると共に視覚情報通信手段１１によってウェブブラウザ４１に送信される。これによって、ウェブブラウザ１０，４１が有する視覚情報３１，３４を相互に共有することが可能となる。
【００９５】
通信先特定手段１２は、視覚情報３１，３４を共有する相手の利用者の利用者識別子を基にその利用者が使用するウェブブラウザ４１を実行している情報通信端末の端末識別子を特定する機能を実現する。具体的には、利用者管理サーバ４２に対して、視覚情報３１，３４を授受する通信先である情報通信端末を利用している利用者の利用者識別子を送信する。次に送信した利用者識別子を基に利用者管理サーバ４２から返送されたその利用者の端末識別子を受信する。最後にその端末識別子を用いてウェブブラウザ４１を実行している情報通信端末を特定し、ウェブブラウザ４１との間で視覚情報３１，３４を授受できる状態にする。これによって、利用者は視覚情報３１，３４を共有する相手の利用者の利用者識別子から、ウェブブラウザ４１を特定して視覚情報の授受を行える状態にすることが可能となる。ここで端末識別子としてＩＰアドレスを用いることが可能であるが、情報通信端末を特定できるものであればＩＰアドレスに限定されない。なお上述の利用者管理サーバ４２を介さず利用者同士で口頭、電子メール等の他の手段で各々の端末識別子を伝達することで通信先の端末識別子を特定してもよい。
【００９６】
ここで、上述の構成要素からなるウェブブラウザ１０の動作について説明する。図１０は、本発明の実施形態２に係るウェブブラウザ１０が情報通信端末２０上で動作する際の処理手順の概略を示す図である。図１１は、本発明の実施形態２に係る通信先特定処理の手順を示す図である。図１２は本発明の実施形態２に係る視覚情報入力処理の手順を示す図である。
【００９７】
本実施形態は図１０に示すように、通信先特定処理に関する処理とそのための分岐処理（Ｓ４０，Ｓ４１）と図１２に示す視覚情報入力処理において他の情報通信端末との間での視覚情報の授受に関する処理（Ｓ６０，Ｓ６１，Ｓ６２）を更に備えている点が上述した実施形態１と異なっている。
【００９８】
まず、情報通信端末２０の利用者が視覚情報を共有するか否かを判断する（Ｓ４０）。具体的には、例えば視覚情報の共有を開始するためにウェブブラウザ１０の表示画面に配置されるボタンが押されたかで判断する。その結果視覚情報を共有する場合は、通信先特定処理（Ｓ４１）を行う。ここまでの処理によって、視覚情報を共有する相手の利用者が利用するウェブブラウザ４１との接続が確立される。
【００９９】
次に、実施形態１と同様にＵＲＬ３０に応じた情報資源３３の画像化及びＵＲＬ３０に対応した視覚情報３１の描画が行われる（Ｓ１〜Ｓ７）。視覚情報入力処理（Ｓ４２）においては実施形態１同様に入力手段２１によって与えられる視覚情報３１に加えて、ウェブブラウザ４１から受信した視覚情報３４をもデータベース４に記憶する。以下、データベース４に記憶された視覚情報３１，３４を視覚情報描画領域に格納し、情報資源描画領域と重ね合せ処理（Ｓ９）を行い出力手段（Ｓ１０）に表示する。
【０１００】
ここで、通信先特定処理（Ｓ４１）の手順について、図１１を用いて詳細に説明する。
【０１０１】
まずウェブブラウザ１０，４１は予め指定された端末識別子を持つ利用者管理サーバ４２に接続する（Ｓ５０，Ｓ５１）。次にウェブブラウザ１０，４１は各々の利用者が利用する情報通信端末の端末識別子ａ・ｃと共に利用者の利用者識別子ｂ・ｄを対にして送信する（Ｓ５２，Ｓ５３）。利用者管理サーバ４２は受信した端末識別子ａ・利用者識別子ｂ及び端末識別子ｃ・利用者識別子ｄとをそれぞれ対にして記憶する（Ｓ５４）。次に情報通信端末２０のウェブブラウザ１０は通信する相手の利用者識別子ｄを送信する（Ｓ５５）。この際の相手の利用者識別子ｄは口頭、電子メール又は利用者管理サーバ４２から利用者情報の一覧を取得するなどの他の手段で既知となっているものである。利用者管理サーバ４２は受信した利用者識別子ｄを基に対応する端末識別子を記憶領域から検索し（Ｓ５６）、得た端末識別子ｃをウェブブラウザ１０に送信する（Ｓ５７）．端末識別子ｃを受信したウェブブラウザ１０は端末識別子ｃと接続し（Ｓ５８）、利用者管理サーバ４２との接続を切断する（Ｓ５９）。
【０１０２】
この処理によって、通信相手の利用者識別子が既知である場合、それに対応した端末識別子を自動的に取得できるため、利用者は特定の端末識別子を有する情報通信端末を使用しなければならないという制約に拘束されることがない。すなわち、例えば自宅、オフィス、インターネットカフェなど異なる場所で情報通信端末を利用すれば通常端末識別子はそれぞれ異なるが、利用者は端末識別子が異なることを意識することなく通信先を特定することが可能となる。
【０１０３】
なお、通信先の情報通信端末は１台に限定されず、複数の情報通信端末と接続し視覚情報を授受することが可能である。
【０１０４】
次に、視覚情報入力処理（Ｓ４２）の手順について、図１２を用いて詳細に説明する。
【０１０５】
まずウェブブラウザ１０はウェブブラウザ４１から視覚情報３４を受信しているか否かを判断する（Ｓ６０）。その結果受信しているならば、その情報をデータベース４に記憶させる。一方、実施形態１同様に入力手段２１によって各種視覚情報が入力されて、データベース４に記憶させた場合においては（Ｓ２０〜Ｓ２８）、他のウェブブラウザ４１と接続中であるか否かを判断し（Ｓ６１）、その結果接続しているならば、入力された視覚情報３１をウェブブラウザ４１に送信する。データベース４に記憶された視覚情報３１，３４はその後直ちに重ね合せ処理９によって情報資源３３と重ね合わされて利用者に提示される。
【０１０６】
この処理によって、ウェブブラウザ４１から受信した視覚情報３４はデータベース４に記憶されると共に、入力手段２１を介して視覚情報入力手段８によって構成された視覚情報３１はウェブブラウザ４１へ送信され、利用者間で視覚情報３１，３４を共有することが可能となる。
【０１０７】
上述のしたウェブブラウザ１０の利用例として、以下に述べるような利用方法が可能である。
【０１０８】
＜ウェブブラウザ操作方法の教授＞
ここでは、２人の利用者がいて、利用者の一方がウェブブラウザの操作に不慣れであって、他方の利用者は熟練していると仮定する。また利用者は各々別の情報通信端末でウェブブラウザ１０を操作しているとする。各々の利用者が同一のＵＲＬ３０に示される情報資源３３を閲覧しており、相互に視覚情報を授受可能な状態になっているとする。すなわち図１０のＳ４０，Ｓ４１、Ｓ１〜Ｓ７までの処理が完了した状態である。
【０１０９】
この場合において、例えば従来の通常のウェブブラウザに一般的に備わっているハイパーリンクを辿る機能の利用方法について教授することを目的としてウェブブラウザ１０を利用する場合は以下に説明するように動作させる。
【０１１０】
まず熟練した利用者はハイパーリンクが表示されている箇所を、例えば矩形で囲み、加えて文字情報として「ここでマウスをクリックする」などのような指示を入力する。その矩形及び文字情報は不慣れな利用者に送信され、熟練した利用者が描画した位置と同じ場所に再現される。不慣れな利用者はその指示に従い、矩形で囲まれた箇所をマウスでクリックすることでハイパーリンクを辿る機能を利用することが可能となる。もしこの伝達を口頭や文字情報だけに頼る場合は、どこをマウスでクリックすべきかを指示する必要があり、例えば「画面の中心のＡという文字列の部分」のような指示となるため、例えば画面中に文字情報が氾濫している場合は、不慣れな利用者にとって該当箇所を探す負担を強いることとなる。
【０１１１】
このようなハイパーリンクに関する操作のように単純な場合だけでなく、例えばウェブブラウザをユーザインタフェースとして用いる、いわゆるグループウェアやウェブメールシステムなどの多機能のアプリケーションを操作する場合など、必ずしも容易に習熟できないような複雑なアプリケーションについて教授を行う際にも有効である。
【０１１２】
上述した例のように視覚情報を相互に共有することで、利用者は意思を直観的な形で伝達することが可能となり、円滑なコミュニケーションを助長する効果を奏する。
【０１１３】
＜マスコット情報の表示＞
ここでマスコット情報とは視覚情報の一つであって、利用者が利用者自身を象徴する絵をＪＰＥＧ，ＧＩＦ，ＰＮＧ，ＢＭＰを含む画像フォーマットで記録した図形情報ファイルと表示位置、利用者識別子及び透過率という属性から構成されている。
【０１１４】
マスコット情報に基づいて、出力手段２２の画面上に図形情報ファイルの絵を配し、それを他の利用者と共有することで、利用者がどのＵＲＬに示される情報資源を閲覧しているかを知らしめることが可能となる。
【０１１５】
例えば２人の利用者がいて、それぞれの利用者は情報通信端末２０のウェブブラウザ１０を操作して別々のＵＲＬを閲覧している。さらに図１０のＳ４０，Ｓ４１、Ｓ１〜Ｓ７までの処理を完了させて且つ図６（ｈ）に示すようなマスコット情報を相互に共有しているとする。すなわち一方の利用者は視覚情報識別子８で識別されるマスコット情報を有しており、他方の利用者は視覚情報識別子９で識別されるマスコット情報を有している。
【０１１６】
この段階では各々の利用者の出力手段２２には各々のマスコット情報のみが描画されている。その状態において利用者識別子ｕｓｅｒ１の利用者が利用者識別子ｕｓｅｒ２の閲覧するＵＲＬと同一のＵＲＬ（ｈｔｔｐ：／／ｗｗｗ．ｅｘａｍｐｌｅ．ｃｏｍ／ｄｅｆａｕｌｔ．ｈｔｍｌ）を閲覧したとする。
【０１１７】
その結果、図６（ａ）の視覚情報識別子８のＵＲＬはｈｔｔｐ：／／ｗｗｗ．ｅｘａｍｐｌｅ．ｃｏｍ／ｄｅｆａｕｌｔ．ｈｔｍｌに置き換わり、置き換わった視覚情報が利用者識別子ｕｓｅｒ２の利用するウェブブラウザ１０に送信される。従って利用者識別子ｕｓｅｒ２側のウェブブラウザでは、図１０のＳ５〜Ｓ７の処理によって利用者識別子ｕｓｅｒ１の利用者を象徴するマスコット情報が表示されることとなる。同様に利用者識別子ｕｓｅｒ１側のウェブブラウザ１０においても利用者識別子ｕｓｅｒ２の利用者を象徴するマスコット情報が表示される。
【０１１８】
すなわち、２人が同一のＵＲＬに示される情報資源に２つのマスコット情報が重ね合わされて表示される結果となる。
【０１１９】
これによって、互いのマスコット情報を見ながら情報資源の閲覧や視覚情報の交換が可能となるので、親近感をもって、より効果的な意思伝達を図ることが可能となる。
【０１２０】
上述したように、本実施形態に係るウェブブラウザ１０は注釈としての視覚情報３１を入力手段２１を介して生成するのみでなく、視覚情報通信手段１１を介して他の情報通信端末で実行されるウェブブラウザ４１から視覚情報３４を得ることによって、他の利用者と視覚情報３１，３４の共有を図ることが可能となる。また視覚情報通信手段１１で得た視覚情報３４は、即時的に出力手段２２に表示されるため他の利用者と円滑なコミュニケーションを行うことが可能となる。
【０１２１】
なお、本実施形態に係るウェブブラウザ１０の機能は単独のプログラムとして実装されることに限定されず、既存のウェブブラウザ、例えばマイクロソフト社製インターネットエクスプローラ（登録商標）やネットスケープコミュニケーションズ社製ネットスケープナビゲータ（登録商標）のプラグインとして実装してもよい。この場合、必要となる機能は、図９の機能ブロック図にある視覚情報入力手段８、データベース４、視覚情報描画手段、描画キャンバス形成手段６、重ね合わせ手段、視覚情報通信手段１１及び通信先特定手段１２である。これらの機能や処理内容はウェブブラウザ１０と同様でよい。これらの要素に加えて、既存のウェブブラウザとのインタフェース部分を実装することでプラグインプログラムを実装することが可能となり、ウェブブラウザ１０と同等の機能を既存のウェブブラウザ上で実現することができる。
【産業上の利用可能性】
【０１２２】
本発明は情報通信端末でプログラムを実行させてウェブ上の情報資源を閲覧する場合に関連する産業分野で利用することができる。
【図面の簡単な説明】
【０１２３】
【図１】本発明の実施形態１に係るウェブブラウザが情報通信端末上で動作する際の機能を示す図である。
【図２】本発明の実施形態１に係るウェブブラウザが情報通信端末上で動作する際の処理手順の概略を示す図である。
【図３】本発明の実施形態１に係る視覚情報入力処理及び重ね合せ処理の手順を示す図である。
【図４】本発明の実施形態１に係る入力処理を行う際の画面を例示した図である。
【図５】本発明の実施形態１に係る入力処理を行う際の画面を例示した図である。
【図６】本発明の実施形態１に係るデータベース４に記憶される各視覚情報の構成を示す図である。
【図７】本発明の実施形態１に係る重ね合せ処理を行う際の画面を例示した図である。
【図８】本発明の実施形態１に係る重ね合せ処理としてモザイク及び透過効果を適用する際の画面を例示した図である。
【図９】本発明の実施形態２に係るウェブブラウザが情報通信端末上で動作する際の処理手順の概略を示す図である。
【図１０】本発明の実施形態２に係るウェブブラウザが情報通信端末上で動作する際の処理手順の概略を示す図である。
【図１１】本発明の実施形態２に係る通信先特定処理の手順を示す図である。
【図１２】本発明の実施形態２に係る視覚情報入力処理の手順を示す図である。
【符号の説明】
【０１２４】
１・１０・４１  ウェブブラウザ
２  情報資源取得手段
３  情報資源描画手段
４  データベース
５  視覚情報描画手段
６  描画キャンバス形成手段
７  重ね合せ手段
８  視覚情報入力手段
１１  視覚情報通信手段
１２  通信先特定手段
２０  情報通信端末
４０  ウェブサーバ
４２  利用者管理サーバ
【図１】
2007122511.tif 000003
【図２】
2007122511.tif 000004
【図３】
2007122511.tif 000005
【図４】
2007122511.tif 000006
【図５】
2007122511.tif 000007
【図６】
2007122511.tif 000008
【図７】
2007122511.tif 000009
【図８】
2007122511.tif 000010
【図９】
2007122511.tif 000011
【図１０】
2007122511.tif 000012
【図１１】
2007122511.tif 000013
【図１２】
2007122511.tif 000014